(57)【要約】【解決課題】光ディスク装置を光ディスクの径方向にスリム化しても、光ディスク装置に内蔵される各種部品のレイアウトに余裕を持たせることに適した構造を有する光ディスク装置を提供する。【解決手段】複数種類の光ディスクに対する再生機能、又は、記録・再生機能を有する光ディスク装置のユニットメカは、光ディスクの径方向に伸び、基端がモータのロータに接続されたシャフトを備え、前記モータは、前記ロータを、前記シャフトの中心軸に沿って回転させるものであり、前記モータの前記シャフトの長さ方向のサイズが、１２ｍｍ以上１４ｍｍ以下である。【選択図】図１
2011170922.tif 000002
【特許請求の範囲】
【請求項１】
複数種類の光ディスクに対する再生機能、又は、記録・再生機能を有する光ディスク装置において、
筐体と、
筐体内で光ディスクを収容するユニットメカと、を備え、
前記ユニットメカは、
シャーシと、
前記シャーシに固定され、前記光ディスクを支持してこれを回転させる第１のモータと、
前記シャーシに対して、前記光ディスクの径方向に移動し、当該光ディスクの情報記録面に信号の記録、再生の少なくとも一方を行う光ピックアップと、
前記シャーシに固定された第２のモータと、
前記光ディスクの径方向に伸び、基端が前記第２のモータのロータに接続されたシャフトと、
を備え、
前記光ピックアップは、前記シャフトの回転に従って、前記複数種類の光ディスクのうち、前記第１のモータの回転中心に対して最内周部に情報記録部がある光ディスクの当該最内周部の位置から、前記複数種類の光ディスクのうち、前記第１のモータの回転中心に対して最外周部に情報記録部がある光ディスクの当該最外周部の位置まで、前記シャフトの長さ方向に沿って移動するものであり、
前記第２のモータの前記シャフトの長さ方向のサイズが、１２ｍｍ以上１４ｍｍ以下である、光ディスク装置。
【請求項２】
前記ピックアップと前記シャフトとを接続するガイド部材を有し、
前記ガイド部材は前記シャフトに与圧されており、前記シャフトの回転にしたがって、当該シャフトの長さ方向に移動し、
前記ガイド部材は前記ピックアップに固定され、
前記ピックアップは前記ガイド部材にしたがって、前記光ディスクの径方向に移動する、請求項１記載の光ディスク装置。
【請求項３】
前記シャフトにスクリュー溝が形成されており、
前記ガイド部材の前記シャフト側端部には、前記スクリュー溝に歯合する凸部が設けられ、
前記ガイド部材は、前記凸部を前記シャフト側に押圧する弾性部材を備える、請求項２記載の光ディスク装置。
【請求項４】
前記第１のモータを方持ちしながら、当該第１のモータを固定するモータカバーを有し、
前記モータカバーが前記シャーシに固定されている、請求項１記載の光ディスク装置。
【発明の詳細な説明】
【技術分野】
【０００１】
本発明は光ディスク装置に関するものであり、特に、スリムタイプに属する光ディク装置に関するものである。
【背景技術】
【０００２】
ブルーレイディスクなどの次世代用光ディスクは、ハイビジョン映像などの大容量情報の記録再生に適したものとして、近年、普及が進んでいる。例えば、ノートパソコンに内蔵されるスリムタイプの光ディスク装置にも、従来のＣＤやＤＶＤに加えて、ブルーレイディスク（ＢＤ）に対する記録再生機能が求められている。
【０００３】
スリムドライブは１２．７ｍｍ厚を標準とするものであるが、より軽く、より薄いものが市場から望まれており、近年、９．５ｍｍ厚のドライブも出現してきている。
【０００４】
光ディスク装置をスリム化する先行技術として、例えば、特開２０００−２６９９３５号公報、特開２００７−３１８８９２号公報、特開２００４−２３４８０１号公報、及び、特開平９−２２３３７０号公報にそれぞれ記載された光ディスク装置が存在する。
【０００５】
これらの光ディスク装置は、光ピックアップを光ディスクの径方向に送るためのステッピングモータを備え、ステッピングモータの光ディスクの回転軸方向における幅を小さくすることによって、光ディスク装置をスリム化しようとするものである。
【先行技術文献】
【特許文献】
【０００６】
【特許文献１】特開２０００−２６９９３５号公報
【特許文献２】特開２００７−３１８８９２号公報
【特許文献３】特開２００４−２３４８０１号公報
【特許文献４】特開９−２２３３７０号公報
【発明の概要】
【発明が解決しようとする課題】
【０００７】
光ディスク装置の構成をスリム化するという要求は、光ディスク装置の厚さ方向ばかりでなく、光ディスクの径方向にも存在する。しかしながら、径方向におけるスリム化によって、光ディスク装置に内蔵される部品のレイアウトに余裕が無くなり、光ディスク装置に種々の課題が生じていた。
【０００８】
例えば、光ピックアップの移動量が制限されたり、光ディスクを回転するモータを支持固定するための剛性が低下したり、又は、光ピックアップの径方向への送り精度が低下したりなどである。
【０００９】
そこで、本発明は、光ディスク装置を光ディスクの径方向にスリム化しても、光ディスク装置に内蔵される各種部品のレイアウトに余裕を持たせることに適した構造を有する光ディスク装置を提供することを目的とするものである。
【課題を解決するための手段】
【００１０】
本発明者は、光ディスク装置に内蔵される各種部品の仕様について検討したところ、光ディスク装置を光ディスクの径方向にスリム化する上で、各種部品のレイアウトにおける余裕を改善することについて、光ピックアップを光ディスクの径方向に送るためのモータの仕様の影響が大きいこと見出し、当該モータの前記径方向における寸法を最適値に設定することが前記目的を達成する上で最も効果的であるとの知見を得ることによって本発明に到達したものである。
【００１１】
すなわち、本発明は、複数種類の光ディスクに対する再生機能、又は、記録・再生機能を有する光ディスク装置において、筐体と、筐体内で光ディスクを収容するユニットメカと、を備え、前記ユニットメカは、シャーシと、前記シャーシに固定され、前記光ディスクを支持してこれを回転させる第１のモータと、前記シャーシに対して、前記光ディスクの径方向に移動し、当該光ディスクの情報記録面に信号の記録、再生の少なくとも一方を行う光ピックアップと、前記シャーシに固定された第２のモータと、前記光ディスクの径方向に伸び、基端が前記第２のモータのロータに接続されたシャフトと、を備え、前記第２モータは、前記ロータを、前記シャフトの中心軸に沿って回転させ、前記光ピックアップは、前記シャフトの回転に従って、前記複数種類の光ディスクのうち、前記第１のモータの回転中心に対して最内周部に情報記録部がある光ディスクの当該最内周部の位置から、前記複数種類の光ディスクのうち、前記第１のモータの回転中心に対して最外周部に情報記録部がある光ディスクの当該最外周部の位置まで、前記シャフトの長さ方向に沿って移動するものであり、前記第２のモータの前記シャフトの長さ方向のサイズが、１２ｍｍ以上１４ｍｍ以下であることを特徴とするものである。
【発明の効果】
【００１２】
本発明によれば、光ディスク装置を光ディスクの径方向にスリム化しても、光ディスク装置に内蔵される各種部品のレイアウトに余裕を持たせることに適した構造を有する光ディスク装置を提供することができる。
【図面の簡単な説明】
【００１３】
【図１】光ディスク装置の筐体内に存在するユニットメカの正面図である。
【図２】スピンドルモータがモータカバーに回転自在に取り付けられ、モータカバーがシャーシ背面側からシャーシに対して固定される状態を示す図であり、シャーシの背面から描いた組み立て分解斜視図である。
【図３】ガイドフィードの分解斜視図である。
【図４】ユニットメカの一部を拡大した正面図である。
【図５】ユニットメカの一部の背面図である。
【図６】図６Ａは、光ディスク装置の昇降機構によるユニットメカの昇降機能を説明する模式図であり、図６Ｂは光ピックアップの移動用モータに対して、モータのサイズが適正範囲に設定された状態の、図６Ａに相当する模式図である。
【発明を実施するための形態】
【００１４】
次に、本発明の実施形態を図面に基づいて説明する。図１は、光ディスク装置の筐体内に存在するユニットメカの正面図を示すものである。ユニットメカは、光ディスクを回転させるスピンドルモータと、光ピックアップと、光ピックアップを光ディスクの径方向に往復動させる駆動機構と、をシャーシに支持するものであり、光ディスク装置の主要部に相当するものである。
【００１５】
ユニットメカ１００は、フレームとしてのシャーシ１０２を備え、このシャーシには、光ディスクを回転させるスピンドルモータ１０３と、光ピックアップを備えるスライダ１０４と、スライダ１０４が光ディスクの径方向に進退する際のガイドとなる一対のガイド軸１０６，１０８と、スライダ１０４をガイド軸１０６，１０８に沿って往復動させる駆動機構１１０と、が支持されている。
【００１６】
スピンドルモータ１０３は、ターンテーブル１１２と、ターンテーブル上にある光ディスクと係合するクランパ１１４と、を備える。シャーシ１０２の基端側１１６にスピンドルモータ１０３が存在する。シャーシ１０２の先端側１１８を起点にして、シャーシ１０２の基端側１１６がスピンドルモータ１０３の回転軸方向に傾動する。
【００１７】
図２に示すように、スピンドルモータ１０３はモータカバー１３０に回転自在に取り付けられ、モータカバー１３０はシャーシ１０２の背面側からシャーシ１０２に対して固定される。モータカバー１３０は略扇状になっており、その周辺のほぼ均等の３か所１３２ａ，１３２ｂ，１３２ｃがボルト１３４によってシャーシ１０２に固定される。
【００１８】
図１において、一対のガイド軸１０６，１０８は、シャーシ１０２の基端１１６から先端１１８に向かう方向に、かつ、互いに平行になって、シャーシ１０２の左右のサイド１４０，１４２の近傍において、シャーシ１０２にそれぞれ固定されている。
【００１９】
ガイド軸１０６,１０８は、スライダ１０４の左右サイドのそれぞれに存在するブラケット１４１、１４３を貫通し、スライダ１０４をガイド軸１０６，１０８に沿って滑動可能に支持している。スライダ１０４は一対のガイド軸１０６，１０８に囲まれた、シャーシ１０２内の空間１４５をガイド軸１０６，１０８に沿って往復動する。
【００２０】
図１において、符号１０４は、シャーシ１０２の最も基端１１６に近づいた状態でのスライダを示し、符号１０４ａは、シャーシ１０２の最も先端１１８に近づいた状態でのスライダを示すものである。符号１０５はスライダ１０２内の光ピックアップを覆うカバーを示す。スライダ１０４ａにおいては、カバー１０５の図示を省略している。スライダ１０４内には、光ピックアップを構成する複数の部品が収納されている。
【００２１】
スライダ１０４は、スンピンドルモータ１０３の外周形状に相当する凹部１５０を有しながら、光ディスクの外周側１５２がテーパ状になった略６角状を有し、その略中心位置に複数のレンズ１５４，１５６を有している。
【００２２】
複数のレンズの一つがＣＤ，ＤＶＤ用の赤色光のための対物レンズ１５４であり、他のレンズがＢＤ用の青色光のための対物レンズ１５６である。二つのレンズは、ガイド軸１０６，１０８の長さ方向、換言すれば、光ディスクの径方向に、ほぼ沿って存在し、ＣＤ、ＤＶＤ用の対物レンズ１５４がスピンドルモータ１０３の中心側にあり、ＢＤ用の対物レンズ１５６がその外周側にある。ＤＶＤ用の対物レンズ１５４に対して、ＢＤ用の対物レンズ１５６が光ディスクの径方向に配列されていることにより、ＢＤに対する記録精度が向上する。
【００２３】
スライダ１０４を進退あるいは往復させる駆動機構１１０は、ねじ溝が形成されたドライブシャフト１６０と、ドライブシャフトを回転させるステッピングモータ１６２、とを備えて構成される。
【００２４】
シャフト１６０は、ガイド軸１０８からさらにシャーシの側面１４２の側にあり、ガイド軸１０８と平行な状態で、その先端側がシャーシ１０２のシャフト収容領域１７０の終端１６８に回転自在に支持されている。
【００２５】
そして、シャフト１６０の他端にある領域１６９はステッピングモータ１６２のロータに接続されている。ステッピングモータ１６２は、ロータをドライブシャフト１６０の中心軸の周り、すなわち、図１の矢示１７１に示す方向に回転するようにされている。
【００２６】
シャフト１６０とスライダ１０４のシャフト１０６側端部との間には、シャフト１０６とスライダ１０４とを接続するガイドフィード１８０が存在する。このガイドフィード１８０は、シャフト１６０の回転をスライダ１０４のシャフト１６０に沿った往復動に変換するものであって、樹脂によって一体成型されたものである。図３は、ガイドフィードの斜視図を示すものである。
【００２７】
このガイドフィード１８０は、スライダ１０４の上方から、矢示１８３の方向に、スライダの脇部１８１に、ボルト１９０及びリベット１９２，１９４によって、固定される。符号１８８ａは、ガイドフィード１８０がスライダ１０４の脇部１８１に固定された際に、ガイド軸１０８に接触しないように弧状に形成された凹部である。
【００２８】
ガイドフィード１８０のシャフト１６０側の端部には、シャフト１６０のスクリュー溝に歯合する一対の凸部１８２を有する小プレート状部１８４がある。ガイドフィードの本体部１８７の小プレート状部１８４の端面には小凹状の端面１８７ａが存在し、この端面１８７ａと小プレート状部１８４との間には弾性部材であるコイルスプリング１８６が介装されている。
【００２９】
小プレート状部１８４のガイド軸１０８側の端面と本体１８７との間には、コイルスプリング１８６が存在する空間を形成しながら一対の対形状をなし、本体１８７と小プレート状部１８４とを連結する連結体１８５が存在し、各連結体１８５はシャフト１６０の長さ方向に沿った視点に対して、矢示１８３方向に開放されたＵ字状になっており、非開放端の領域１８５ａが薄肉状になっている。
【００３０】
この領域１８５ａが弾性体１８６の発揮する弾性力によって、Ｕ字状の開放部１８８を拡径する方向に弾性変形し、その結果、小プレート状部１８４がシャフト１６０の側に与圧されて、一対の凸部１８２がシャフト１６０のスクリュー溝に押接される。
【００３１】
これによって、シャフト１６０の回転がガイドフィー１８０のシャフト１６０の長さ方向の往復動に変換される。なお、与圧量が過大であるとシャフト１６０をモータ１６２が回転させる上でのトルクが不足するおそれがあり、一方、与圧量が少ないとシャフト１６０の回転に対する、ガイドフィード１８０の送りの精度が低下するおそれがある。
【００３２】
ガイドフィード１８０の送り精度は、コイルスプリング１８６の弾性係数が関係する与圧ばかりでなく、連結体１８５の特性、例えば、シャフト１６０の長さ方向に沿った幅Ｌ１によっても影響を受ける。例えば、連結体１８５の幅Ｌ１が少ないと、ガイドフィード１８０のせん断方向の剛性が減少して、ガイドフィードの送り精度が低下する。
【００３３】
光ディスク装置は、ＣＤ及びＤＶＤ、並びに、ＢＤなど、複数種類の光ディスクに対する記録・再生機能を達成するために、光ピックアップの対物レンズを、複数種類の光ディスクのうち、モータ１０３の回転中心に対して最内周部に情報記録部がある光ディスクの当該最内周部の位置から、モータ１０３の回転中心に対して最外周部に情報記録部がある光ディスクの当該最外周部の位置まで、シャフト１６０に沿って移動させる必要がある。その結果、光移動ピックアップの移動距離が長くなる傾向があり、その分、シャフト１６０も長くなる。
【００３４】
シャフトを回転させるステッピングモータのロータが、光ディスクの回転中心軸の方向に向いているとすると、ロータ長が光ディスクドライブのスリム化のために制限され、光ディスク装置はシャフトを回転するためのトルクを稼げないことになる。そこで、本実施形態に係る光ディスク装置は、モータ１６２のロータがシャフト１６０の長さ方向に配されるようにして、ロータ長を稼ぎ、シャフト１６０の長さが増大しても、シャフトに対する回転トルクを稼ぐようにしている。
【００３５】
このように、光ディスクの径方向における、モータのサイズは、シャフト１６０を回転させるために必要なトルクを得るためのパラメータであるが、モータ長が大きくなると、ユニットメカ１００のシャーシ１０２内の各部品のレイアウトの設計上の余裕が無くなるという課題がある。
【００３６】
そこで、本願の発明者は、モータ長の適性値について検討した。ＢＤの ＢＣＡ領域が２１．３〜２２．０ｍｍに規格化されていることから、光ピックアップ（スライダ１０４）が最内周の位置にある際、ＢＤレンズ１５６はスピンドルモータ１０３の中心から２１．３ｍｍの位置を満足する必要がある。なお、図１においては、光ピックアップ１０４は、ＢＣＡ領域の中心である２１．７ｍｍにてＢＣＡ情報を判別することが好適であるため、ＢＤレンズ１５６は、スピンドルモータ１０３の中心から２１．６ｍｍの位置に存在できなければならないことを示している。
【００３７】
一方、ＣＤ−ＲＷの情報記録部は、スピンドルモータ１０３の中心から５９．０ｍｍにも及んでいるため、光ピックアップが最外周にある際、ＤＶＤ・ＣＤ用レンズ１５４の位置もこれに適合できるものでなければならない。
【００３８】
図１に示す光ディスク装置においては、バラツキを考慮して、ＤＶＤ・ＣＤ用レンズ１５４の位置をスピンドルモータ１０３の中心から５９．３ｍｍの位置に設定している。なお、ＤＶＤ・ＣＤ用レンズ１５４とＢＤレンズ１５６間の径方向の距離は、最適な設計の下での最短値、あるいは最適値として、３．６０ｍｍになることを、図１は示している。
【００３９】
図１において、光ピックアップ１０４の移動量は、５９．３ｍｍ−（２１．６ｍｍ−３．６ｍｍ）の「４１．３ｍｍ」になる。シャフト１６０の長さは、この移動量を確保するに足るものであり、かつ、ステッピングモータ１６２によって精度良く回転される上で制限される必要性もあることから、一例として４７．６ｍｍに設定に設定した。さらに、ガイドフィードの剛性をある程度確保するために、ガイドフィード１８０の連結体の総長さ（２*Ｌ１）は６．３ｍｍになるが、バラツキを考慮して、連結体の総長さを６．０ｍｍに設計した。
【００４０】
本願発明者は、このような設定の下で、モータ長の適性範囲について検討したところ、１１．０ｍｍ以上１４．０ｍｍ以下、好ましくは、１２．０ｍｍ以上１３．０ｍｍ以下、さらに好ましくは、１２．３ｍｍ以上１２．７ｍｍ以下、特に好ましくは、１２．６ｍｍが適正であることを見出した。
【００４１】
モータ長が１１．０ｍｍ未満であると、シャフト１６０を回転させるためのトルクが不足するおそれがあり、一方、モータ長が１４．０ｍｍを超えると、部品のレイアウト上の余裕度が低下する。従前の例では、モータ長が１４．６ｍｍであったところ、モータ長を１２．６ｍｍにすることによりモータ長を２．０ｍｍ短縮化でき、これに伴って、各種部品のレイアウトに余裕を持たせることができ、その結果、以下に説明する複数の実施形態を実現することができた。
【００４２】
既述のステッピングモータの仕様の一例は、2相励磁、バイポーラ駆動、pull-in Torque 0.34mＮ-m以上(400pps)、pull-out Torque 0.31mＮ-m以上(1,600pps)である。
【００４３】
実施形態１
この実施形態によれば、スピンドルモータの１０３の剛性を向上させることができる。既述のようにモータ長を短縮できることにより、図４に示すように、ステッピングモータ１６２のシャーシ１０２の基端１１６側端部をシャフト１６０側にすることができる。モータ１６２の端部とステッピングモータの中心１０３Ｂとの距離（Ｌ３）を従来の７．５ｍｍから５．５ｍｍに短縮できた。モータ１６２のシャフト側端部１６２Ａとステッピングモータの中心１０３Ｂとの距離（Ｌ２）は、従前の例と同様に７．１ｍｍに設定された。
【００４４】
距離（Ｌ３）の短縮は、シャーシ１０２のステッピングモータ側端部１０２Ａの位置をロータ側に向かって、モータ長の短縮分に相当する長さ分延長することをもたらす。この結果、図４の背面図である図５に示すように、モータカバー１３０のシャーシ１０２への３つの固定箇所１３２ａ，１３２ｂ，１３２ｃのうち、ステッピングモータ１６２寄りの固定箇所１３２ａをステッピングモータ１０６側にシフトすることができる。
【００４５】
その結果、この固定箇所１３２ａと固定箇所１３２ｃとがスピンドルモータの中心１０３ｂと形成する、モータカバー１３０がモータを支持する角度(モータの巻き付け角度)を、従前の１５８°から１６２°に拡大できた。符号１３２ｄは従前の例におけるステッピングモータ１６２寄りの固定箇所である。
【００４６】
この実施形態は、モータの巻き付け角度を１６０°以上１７０°以下に設定することができる。モータの巻き付け角度が１７０°以下であることによって、モータ１６２のサイズを適正範囲に維持することができる。
【００４７】
スピンドルモータ１０３は、モータカバー１３０に片持ち、すなわち、モータカバー１３０のシャーシの基端側１１６がシャーシ１０２に固定され、その他端側はシャーシ１０２に固定されていないため、巻き付け角度が大きくなるほど、モータカバー１３０のモータ１０３に対するする剛性が向上する。例えば、光ディスク装置を落下させた際、モータの落下荷重がモータカバーに加わっても、モータカバーはモータの落下荷重に抵抗して、モータカバーの塑性変形が抑制される。
【００４８】
実施形態２
この実施形態によれば、光ピックアップ１０４の稼働範囲を拡大することができる。モータ１６２のシャーシの基端側１１６の端部の位置を従前のとおりとすると、モータ１６２のシャフト１６０側端部１６２Ａの位置がモータ長の短縮分だけシャーシの基端側１１６になる。その結果、シャフト１６０が長くでき、それに伴って、ピックアップ１０４の可動範囲を増加することがきる。
【００４９】
図１に示すように、ＤＶＤ・ＣＤ、及びＢＤに対してリード・ライトを可能とする光ディスク装置では、ＢＤに対する書込み精度を達成するために、ＣＤ・ＤＶＤ用レンズ１５４とＢＤ用レンズ１５６とが光ディスクの径方向に配列（ＣＤ・ＤＶＤ用レンズ１５４を光ディスクの中心側、ＢＤ用レンズ１５６を光ディスクの外周側）される。その結果、光ピックアップの可動範囲は両者のレンズがタンジェンシャル方向に存在する場合に比較して拡大されなければならないことになるが、この実施形態によって、この要求を満足することができる。
【００５０】
実施形態３
この実施形態によって、光ピックアップの送り精度を向上することができる。スライダ１０４のシャーシ基端側１１６の端部のガイド軸１０８近傍には鉤状のストッパ２１０が設けられている(図４)。スライダ１０４がシャーシの基端側１１６に最も移動した際に、シャーシの端面にストッパ２１０が当接することによって、スライダの移動限界が設定される。
【００５１】
但し、ガイドフィード１８０に僅かな寸法誤差があるだけで、ストッパ２１０がシャーシの端面に当接することより先に、ガイドフィード１８０の端部がモータ１６２の終端に先に当接して、ガイドフィードが破損、劣化するおそれがあるため、従前は、連結体１８５の幅（Ｌ１）を規定量よりも少なく設計して、ガイドフィード１８０の端部とモータ１６２との終端に十分なギャップが確保されるようにしていた。
【００５２】
この結果、ガイドフィードの剛性が低下し、スライダの送り精度が低下するが、この実施形態によれば、モータ長を短縮することができるため、この分、連結体１８５の幅（Ｌ１）を維持、あるいは大きくすることが可能になる。
【００５３】
実施形態４
この実施形態によれば、光ディスク装置の筐体の底面からモータ１６２が突出することを防ぐことができる。図６Ａ及び図６Ｂは、光ディス装置の昇降機能を説明するためのものであり、図１の矢示７０２に示す方向の視点から描いた、筐体７００及び昇降機構７０２の模式図である。図６Ａはモータ１６２の長さが短縮されていない形態に係るものであり、図６Ｂはモータ１６２の長さが短縮された形態に係るものである。
【００５４】
光ディスク装置の筐体７００内に光ディスクが挿入されると、光ディスク装置の先端側にある昇降機構７０２を起点として、昇降機構７０２が矢示７０４の方向にシャーシの基端側を持ち上げることにより、スピンドルモータ１０３が光ディスクの側に押し込まれ、スピンドルモータ１０３のクランパ１１４に光ディスクをチャッキングする。光ディスクの再生、又は、記録が終了すると、昇降機構７０２は矢示７０４とは反対方向にシャーシを降下させて、クランパ１１４から光ディスクを離脱させる。
【００５５】
シャーシの基端側が最下端にある状態では、モータ１６２の基端側が筐体の底面に当接するか、筐体の底面から突出するおそれがあるが(図６Ａ)、モータ１６２の長さが最適値の範囲内で短縮化されていると、モータの基端がＬ１０の分だけ昇降機構７０２の側に後退するため、シャーシの基端側が最下端にある状態でも、モータ１６２の基端が筐体の底面に当接、又は、底面から突出することが無いようになる。
【００５６】
既述の説明は、本発明の実施形態を説明したものであり、当業者は、既述の実施形態を適宜変更することができる。例えば、光ピックアップの複数のレンズがタンジェンシャル（円周）方向に配列されてもよい。
【００５７】
また、本発明に係る光ディスク装置は、光ディスクを光ディスクドライブ内に収容する方式について、トレイを介して光ディスクを光ディスク装置に対して出し入れするトレイ方式、トレイを使用することなく、光ディスクを光ディスク装置に対して出し入れするスロット方式、光ディスクの光ディスク装置に対する脱着が筐体の上部カバーの開閉を介して行われる上部開閉方式のいずれを採用してもよい。
【００５８】
また、既述の数値や範囲は一例であり、当業者はこれを適宜変更することができる。
【符号の説明】
【００５９】
１００  ユニットメカ、１０２  シャーシ、１０３  スピンドルモータ（第１のモータ）、１０４  スライダ（光ピックアップ）、１６０  シャフト、１６２  ステッピングモータ（第２のモータ）
【図１】
2011170922.tif 000003
【図２】
2011170922.tif 000004
【図３】
2011170922.tif 000005
【図４】
2011170922.tif 000006
【図５】
2011170922.tif 000007
【図６】
2011170922.tif 000008